(57)【要約】【課題】  コンテンツの複製回数の制限や複製世代の管理について、ＣＰＲＭより柔軟に対応できる情報記録再生システム及び方法を提供する。【解決手段】複製制御情報（ＣＣＩ）を(1)複製許可，(2)複製禁止，(3)Ｍ世代のみ複製許可（Ｍ≧１）で与える。コンテンツの光ディスクへの記録手順では、ＣＣＩが(1)では暗号化せずに記録、(2)では記録禁止、(3)ではＣＰＲＭに準拠した暗号化記録を行い、パワーキャリブレーションエリア（ＰＣＡ）のテストデータの後にコンテンツ識別番号とＣＣＩを記録する。再生（複製）手順では、ＰＣＡにＣＣＩがなければ従来のＣＰＲＭ対応ディスクとして処理し、ＣＣＩがあれば、(2)の場合と(3)でＭ＝１の場合は出力禁止設定を、(1)と(3)でＭ≧２の場合は出力許可設定を行う。また、ＰＣＡにコンテンツ識別番号とＭを１だけ減じたＣＣＩを記録しておく。【選択図】図４
2008165913.tif 000002
【特許請求の範囲】
【請求項１】
複製制御情報を組み込んで配信されるコンテンツデータが情報記録再生装置へ入力された際に、前記情報記録再生装置は前記複製制御情報が複製禁止以外であれば前記コンテンツデータを光ディスクに記録し、また前記情報記録再生装置が前記複製制御情報に基づいて外部機器である情報記録装置へのコンテンツデータの出力許可又は出力禁止を設定する情報記録再生システムにおいて、
前記複製制御情報が複製禁止、複製許可、又は１回以上の複製回数を示す情報からなり、
前記情報記録再生装置が、
配信されたコンテンツデータを前記光ディスクのデータ記録エリアに記録した際に、そのコンテンツデータの記録に先立って前記光ディスクのパワーキャリブレーションエリア（以下、「ＰＣＡ」という）に記録したテストデータの後にコンテンツ識別情報と前記複製制御情報を記録する第１の制御情報記録手段と、
前記光ディスクに記録されているコンテンツを指定して前記外部機器である情報記録装置へのコンテンツデータの出力要求がなされた際に、前記ＰＣＡにおける前記指定コンテンツに対応するコンテンツ識別情報の内で最新の書き込み位置にあるものに対応した前記複製制御情報が１回の複製回数を示すものである場合には出力禁止設定を行い、複製許可又は２回以上の複製回数を示すものである場合には出力許可設定を行う再生出力制御手段と、
前記光ディスクに記録されているコンテンツを指定して前記外部機器である情報記録装置へのコンテンツデータの出力要求がなされた際に、前記ＰＣＡにおいて該当した複製制御情報が２回以上の複製回数を示すものであり、前記再生出力制御手段が出力許可設定を行って前記光ディスクのデータ記録エリアから前記指定コンテンツに係るコンテンツデータを前記外部機器である情報記録装置へ出力する場合に、前記指定コンテンツに対応するコンテンツ識別情報と前記該当した複製制御情報の複製回数から１を減じた複製回数を示す複製制御情報とを前記ＰＣＡの最新の記録情報の後に記録する第２の制御情報記録手段と
を備えていることを特徴とする情報記録再生システム。
【請求項２】
前記再生出力制御手段が、前記ＰＣＡにおける前記指定コンテンツに対応するコンテンツ識別情報と複製制御情報の内で最新に書き込まれたものの後にテストデータのみからなる記録情報があった場合には、常に出力禁止設定を行うようにした請求項１に記載の情報記録再生システム。
【請求項３】
配信されたコンテンツデータを前記光ディスクのデータ記録エリアに記録する際に、所定ハッシュ関数を用いてコンテンツデータからハッシュ値を求める第１の演算手段と、前記光ディスクに記録されているコンテンツを指定して前記外部機器である情報記録装置へのコンテンツデータの出力要求がなされた際に、前記所定ハッシュ関数を用いて前記指定コンテンツのコンテンツデータからハッシュ値を求める第２の演算手段とを設け、
前記第１の制御情報記録手段が、前記第１の演算手段により求められたハッシュ値を前記光ディスクのＰＣＡに記録したテストデータに連続させてコンテンツ識別情報と前記複製制御情報と共に記録し、前記再生出力制御手段が、前記第１の演算手段と前記第２の演算手段が求めた各ハッシュ値が合致しない場合には、常に出力禁止設定を行うようにした請求項１に記載の情報記録再生システム。
【請求項４】
複製制御情報を組み込んで配信されるコンテンツデータが情報記録再生装置へ入力された際に、前記情報記録再生装置は前記複製制御情報が複製禁止以外であれば前記コンテンツデータを光ディスクに記録し、また前記情報記録再生装置が前記複製制御情報に基づいて外部機器である情報記録装置へのコンテンツデータの出力許可又は出力禁止を設定する情報記録再生方法において、
前記複製制御情報が複製禁止、複製許可、又は１回以上の複製回数を示す情報からなり、
前記情報記録再生装置が、
配信されたコンテンツデータを前記光ディスクのデータ記録エリアに記録した際に、そのコンテンツデータの記録に先立って前記光ディスクのＰＣＡに記録したテストデータに連続させてコンテンツ識別情報と前記複製制御情報を記録する第１の制御情報記録手順と、
前記光ディスクに記録されているコンテンツを指定して前記外部機器である情報記録装置へのコンテンツデータの出力要求がなされた際に、前記ＰＣＡにおける前記指定コンテンツに対応するコンテンツ識別情報の内で最新の書き込み位置にあるものに対応した前記複製制御情報が１回の複製回数を示すものである場合には出力禁止設定を行い、複製許可又は２回以上の複製回数を示すものである場合には出力許可設定を行う再生出力制御手順と、
前記光ディスクに記録されているコンテンツを指定して前記外部機器である情報記録装置へのコンテンツデータの出力要求がなされた際に、前記ＰＣＡにおいて該当した複製制御情報が２回以上の複製回数を示すものであり、前記再生出力制御手順で出力許可設定を行って前記光ディスクのデータ記録エリアから前記指定コンテンツに係るコンテンツデータを前記外部機器である情報記録装置へ出力する場合に、前記指定コンテンツに対応するコンテンツ識別情報と前記該当した複製制御情報の複製回数から１を減じた複製回数を示す複製制御情報とを前記ＰＣＡの最新の記録情報の後に記録する第２の制御情報記録手順と
を実行することを特徴とする情報記録再生方法。
【請求項５】
前記再生出力制御手順では、前記ＰＣＡにおける前記指定コンテンツに対応するコンテンツ識別情報と複製制御情報の内で最新に書き込まれたものの後にテストデータのみからなる記録情報があった場合に、常に出力禁止設定を行うようにした請求項４に記載の情報記録再生方法。
【請求項６】
配信されたコンテンツデータを前記光ディスクのデータ記録エリアに記録する際に、所定ハッシュ関数を用いてコンテンツデータからハッシュ値を求める第１の演算手順と、前記光ディスクに記録されているコンテンツを指定して前記外部機器である情報記録装置へのコンテンツデータの出力要求がなされた際に、前記所定ハッシュ関数を用いて前記指定コンテンツのコンテンツデータからハッシュ値を求める第２の演算手順とを設け、
前記第１の制御情報記録手順では、前記第１の演算手順で求められたハッシュ値を前記光ディスクのＰＣＡに記録したテストデータに連続させてコンテンツ識別情報と前記複製制御情報と共に記録し、前記再生出力制御手順では、前記第１の演算手順と前記第２の演算手順で求められた各ハッシュ値が合致しない場合には、常に出力禁止設定を行うようにした請求項４に記載の情報記録再生方法。
【発明の詳細な説明】
【技術分野】
【０００１】
本発明は、複製回数に制限が付されたコンテンツデータを記録／再生する場合の情報記録再生システム及び情報記録再生方法に係る。
【背景技術】
【０００２】
従来から、ＭＤやＤＡＴ等の音声情報の記録再生装置にはディジタルコピー防止規格としてＳＣＭＳ（Serial Copy Management System）があるが、映像コンテンツについてもＣＧＭＳ（コピー世代管理システム：Copy Generation Management System）があり、アナログインターフェイス用のＣＧＭＳ-Ａとディジタルインターフェイス用のＣＧＭＳ-Ｄが規格化されている。
【０００３】
ＣＧＭＳではビデオ信号内に複製の可否を示すＩＤ情報を持たせるようにしており、「Copy Free」（複製許可）は“00”、「Copy One Generation」（１世代のみ複製許可）は“10”、「Copy Never」（複製禁止）は“11”のＩＤ情報として記録され、映像コンテンツを受信した情報記録再生装置側はその情報に基づいて複製（放送番組のメディアへの記録も複製の一形態）の可否を判断する。
【０００４】
従って、「Copy Free」であれば制限されることなくＤＶＤ（Digital Versatile Disk）等のメディアへ複製することが可能であるが、「Copy One Generation」であれば受信した映像コンテンツをその情報記録再生装置に記録することだけが可能であり、更に「Copy Never」では受信した映像コンテンツを直接再生はできるだけで情報記録再生装置に記録することができない。尚、ＩＤ情報の記録方式については、ＣＧＭＳ-Ａではアナログ信号の垂直帰線消去期間（VBI）の２１Ｈ（２８４Ｈ）に記録され、ＣＧＭＳ-Ｄでは装置やインターフェイスに応じて固有の記録方式が採用されることが多い。
【０００５】
一方、記録型ＤＶＤやメモリカード等に用いられているデジタルコンテンツの著作権保護技術としてＣＰＲＭ（Content Protection for Recordable Media）があり、メディア側にＭＫＢ（Media Key Block）と称される鍵束を記録しておき、それと機器側に用意されている機器鍵（デバイスキー）を用いて高度な複製制御を実現している。
【０００６】
ＣＰＲＭでは、メディアのリードイン領域にＭＫＢが記録されており、ＢＣＡ（Burst Cutting Area）と呼ばれている領域にメディア１枚毎に異なる固有のＩＤ情報（メディアＩＤ）が記録されている。当然に、両者は複製することはできず、また改竄することもできない。そして、映像コンテンツの暗号化は、デバイスキーとＭＫＢによって生成されるメディアキーとメディアＩＤによって暗号化タイトルキーを生成し、更にその暗号化タイトルキーに複製制御情報（ＣＣＩ：Copy Control Information）を加えたデータから生成された“暗号化キー”によって行われる。但し、ＣＣＩはＣＧＭＳのＩＤ情報として与えられており、記録時にコンテンツ側から送られて、映像コンテンツとともに暗号化されて記録されるが、暗号化されていないＣＣＩも一緒に配布される。また、復号はその逆であり、メディアから読み取ったＭＫＢと機器のデバイスキーとからメディアキーを求め、そのメディアキーとメディアから読み取ったメディアＩＤとＣＣＩとから解読用のキーを生成して、メディア上の暗号化されたコンテンツを復号する。
【０００７】
従って、コンテンツをＤＶＤメディアへ記録する場合には、ＣＰＲＭに対応したＤＶＤレコーダとＤＶＤメディアと組み合わせて使用する必要があり、ＤＶＤメディアに記録したコンテンツを他の再生機器で再生する場合にも、その機器はＣＰＲＭに対応している必要がある。即ち、ＣＰＲＭでは、コンテンツを他のメディアに複製してもメディアＩＤは複製されないため、複製先のメディアでは再生できないという仕組みになっている。
【０００８】
尚、前記「Copy Never」は受信した映像コンテンツの直接再生のみを許諾するものであるが、視聴者は視聴時間帯まで限定されてしまうため、下記特許文献１では次のような提案もなされている。即ち、著作権者側の実質的な意図は一回だけ視聴を許可するということであり、受信した映像コンテンツを一旦記憶手段に記憶させておき、再生手段が前記「複製禁止」に係る利用許諾情報を記憶手段の映像コンテンツを一回だけ再生できるものとみなすようにした記録再生装置を提案している。また、特許文献１では、利用許諾情報が「Copy Never」又は「Copy One Generation」の場合に２回だけ再生することにより、映像コンテンツの移動ができ、ユーザが保存するメディアを自由に選択できるようにする記録再生装置も提案している。
【特許文献１】特開２０００−１４９４１７号公報
【発明の開示】
【発明が解決しようとする課題】
【０００９】
前記のように、ＣＧＭＳとＣＰＲＭによって映像コンテンツに係る著作権の保護が図られていると共に、特許文献１では実際面での便宜を考慮したメディアへの記録と再生に関する提案がなされている。しかし、特許文献１での提案内容は、著作者の意図の拡張的推測に基づいて、ＣＧＭＳによる規制を限定的に緩和した記録再生装置の構成を提案しているだけである。
【００１０】
これに対して、個別の映像コンテンツに関する著作者と視聴者の実際面での関係を考えると、私的な利用目的に限定して回数を制限した複製許可を行う等の様々な利用許諾条件も想定でき、特許文献１の提案内容で充足されるものではなく、もっと柔軟な複製管理が必要となる可能性がある。また、その複製管理の実現においては、既存のメディアや記録再生装置と可能な限り互換性が保たれているべきである。
【００１１】
そこで、本発明は、前記問題点に鑑みて、従来のＤＶＤメディアや記録再生装置と可能な限り互換性を有しながら、複製回数の制限や複製世代の管理についてより柔軟に対応できる情報記録再生システム及び情報記録再生方法を提供することを目的とする。
【課題を解決するための手段】
【００１２】
第１の発明は、複製制御情報を組み込んで配信されるコンテンツデータが情報記録再生装置へ入力された際に、前記情報記録再生装置は前記複製制御情報が複製禁止以外であれば前記コンテンツデータを光ディスクに記録し、また前記情報記録再生装置が前記複製制御情報に基づいて外部機器である情報記録装置へのコンテンツデータの出力許可又は出力禁止を設定する情報記録再生システムにおいて、前記複製制御情報が複製禁止、複製許可、又は１回以上の複製回数を示す情報からなり、前記情報記録再生装置が、配信されたコンテンツデータを前記光ディスクのデータ記録エリアに記録した際に、そのコンテンツデータの記録に先立って前記光ディスクのパワーキャリブレーションエリア（以下、「ＰＣＡ」という）に記録したテストデータの後にコンテンツ識別情報と前記複製制御情報を記録する第１の制御情報記録手段と、前記光ディスクに記録されているコンテンツを指定して前記外部機器である情報記録装置へのコンテンツデータの出力要求がなされた際に、前記ＰＣＡにおける前記指定コンテンツに対応するコンテンツ識別情報の内で最新の書き込み位置にあるものに対応した前記複製制御情報が１回の複製回数を示すものである場合には出力禁止設定を行い、複製許可又は２回以上の複製回数を示すものである場合には出力許可設定を行う再生出力制御手段と、前記光ディスクに記録されているコンテンツを指定して前記外部機器である情報記録装置へのコンテンツデータの出力要求がなされた際に、前記ＰＣＡにおいて該当した複製制御情報が２回以上の複製回数を示すものであり、前記再生出力制御手段が出力許可設定を行って前記光ディスクのデータ記録エリアから前記指定コンテンツに係るコンテンツデータを前記外部機器である情報記録装置へ出力する場合に、前記指定コンテンツに対応するコンテンツ識別情報と前記該当した複製制御情報の複製回数から１を減じた複製回数を示す複製制御情報とを前記ＰＣＡの最新の記録情報の後に記録する第２の制御情報記録手段とを備えていることを特徴とする情報記録再生システムに係る。
【００１３】
この発明によれば、最初に供給されるコンテンツデータの複製制御情報において２回以上の複製回数を設定することが可能であり、複製がなされる度にその回数を１回分ずつ減じてゆくことで、コンテンツデータの複製に関して従来のＣＰＲＭ方式を拡張させた管理を実現できる。また、光ディスクを対象とした情報記録再生装置においてデータを記録する際に必ずアクセスされるＰＣＡに補正制御情報を記録するようにしており、且つ複製回数が２回以上の場合を除いて、複製制御情報はＣＰＲＭ方式と共通であることから、ＣＰＲＭ方式と互換性を持たせることが容易である。
【００１４】
第１の発明において、前記再生出力制御手段が、前記ＰＣＡにおける前記指定コンテンツに対応するコンテンツ識別情報と複製制御情報の内で最新に書き込まれたものの後にテストデータのみからなる記録情報があった場合には、常に出力禁止設定を行うようにすれば、前記ＰＣＡの記録状態を利用した改竄防止機能が実現できる。また、第１の発明において、配信されたコンテンツデータを前記光ディスクのデータ記録エリアに記録する際に、所定ハッシュ関数を用いてコンテンツデータからハッシュ値を求める第１の演算手段と、前記光ディスクに記録されているコンテンツを指定して前記外部機器である情報記録装置へのコンテンツデータの出力要求がなされた際に、前記所定ハッシュ関数を用いて前記指定コンテンツのコンテンツデータからハッシュ値を求める第２の演算手段とを設け、前記第１の制御情報記録手段が、前記第１の演算手段により求められたハッシュ値を前記光ディスクのＰＣＡに記録したテストデータに連続させてコンテンツ識別情報と前記複製制御情報と共に記録し、前記再生出力制御手段が、前記第１の演算手段と前記第２の演算手段が求めた各ハッシュ値が合致しない場合には、常に出力禁止設定を行うようにすれば、個別のコンテンツデータについての改竄の有無を確認でき、より確実で効果的な改竄防止機能を付加できる。
【００１５】
第２の発明は、前記第１の発明を方法として捉えたものであり、複製制御情報を組み込んで配信されるコンテンツデータが情報記録再生装置へ入力された際に、前記情報記録再生装置は前記複製制御情報が複製禁止以外であれば前記コンテンツデータを光ディスクに記録し、また前記情報記録再生装置が前記複製制御情報に基づいて外部機器である情報記録装置へのコンテンツデータの出力許可又は出力禁止を設定する情報記録再生方法において、前記複製制御情報が複製禁止、複製許可、又は１回以上の複製回数を示す情報からなり、前記情報記録再生装置が、配信されたコンテンツデータを前記光ディスクのデータ記録エリアに記録した際に、そのコンテンツデータの記録に先立って前記光ディスクのＰＣＡに記録したテストデータに連続させてコンテンツ識別情報と前記複製制御情報を記録する第１の制御情報記録手順と、前記光ディスクに記録されているコンテンツを指定して前記外部機器である情報記録装置へのコンテンツデータの出力要求がなされた際に、前記ＰＣＡにおける前記指定コンテンツに対応するコンテンツ識別情報の内で最新の書き込み位置にあるものに対応した前記複製制御情報が１回の複製回数を示すものである場合には出力禁止設定を行い、複製許可又は２回以上の複製回数を示すものである場合には出力許可設定を行う再生出力制御手順と、前記光ディスクに記録されているコンテンツを指定して前記外部機器である情報記録装置へのコンテンツデータの出力要求がなされた際に、前記ＰＣＡにおいて該当した複製制御情報が２回以上の複製回数を示すものであり、前記再生出力制御手順で出力許可設定を行って前記光ディスクのデータ記録エリアから前記指定コンテンツに係るコンテンツデータを前記外部機器である情報記録装置へ出力する場合に、前記指定コンテンツに対応するコンテンツ識別情報と前記該当した複製制御情報の複製回数から１を減じた複製回数を示す複製制御情報とを前記ＰＣＡの最新の記録情報の後に記録する第２の制御情報記録手順とを実行することを特徴とする情報記録再生方法に係る。
【００１６】
この第２の発明においても、次の各構成によって、それぞれ改竄防止機能を持たせることができる。(1) 前記再生出力制御手順で、前記ＰＣＡにおける前記指定コンテンツに対応するコンテンツ識別情報と複製制御情報の内で最新に書き込まれたものの後にテストデータのみからなる記録情報があった場合に、常に出力禁止設定を行うようにする。(2) 配信されたコンテンツデータを前記光ディスクのデータ記録エリアに記録する際に、所定ハッシュ関数を用いてコンテンツデータからハッシュ値を求める第１の演算手順と、前記光ディスクに記録されているコンテンツを指定して前記外部機器である情報記録装置へのコンテンツデータの出力要求がなされた際に、前記所定ハッシュ関数を用いて前記指定コンテンツのコンテンツデータからハッシュ値を求める第２の演算手順とを設け、前記第１の制御情報記録手順では、前記第１の演算手順で求められたハッシュ値を前記光ディスクのＰＣＡに記録したテストデータに連続させてコンテンツ識別情報と前記複製制御情報と共に記録し、前記再生出力制御手順では、前記第１の演算手順と前記第２の演算手順で求められた各ハッシュ値が合致しない場合には、常に出力禁止設定を行うようにする。
【発明の効果】
【００１７】
本発明の情報記録再生システム及び情報記録再生方法は次のような効果を奏する。従来のＣＰＲＭ方式ではコンテンツデータの複製についての世代管理を１世代だけに限定しているが、複製制御情報として２世代以上の複製許可条件を設定できるようにし、従来のＣＰＲＭ方式による情報記録再生システムとの互換性を有しながら、著作権者側と視聴者側との関係でコンテンツの内容に応じて自由に複製回数を設定して管理することを可能にする。また、光ディスクのパワーキャリブレーションエリアにおけるテストデータの後に複製制御情報を追加記録していることを利用してコンテンツデータの改竄防止機能を併せて持たせることができるという利点もある。更に、コンテンツデータからハッシュ値を求めてパワーキャリブレーションエリアに記録するようにしたことにより、前記複製制御情報を利用する場合よりも確実で有効な改竄防止機能を実現できる。
【発明を実施するための最良の形態】
【００１８】
以下、本発明の情報記録再生システム及び情報記録再生方法の実施形態を図面に基づいて詳細に説明する。
［実施形態１］
先ず、図１は本発明の実施形態に係る情報記録再生装置のブロック図であり、１は光ディスク、２は光ディスク１を回転させるスピンドルモータ、３は光ディスク１のからの情報の読み取りと光ディスク１に対する情報の書き込みを行う光ピックアップ、４は光ピックアップ３の読み取り信号を増幅する増幅器、５は増幅された読み取り信号を復調する復調器、６は光ピックアップ３のレーザダイオードを駆動するレーザ駆動回路、７は記録データを変調する変調器、８は変調器７による記録データの変調信号又はシステム制御部からの制御信号に基づいてレーザ駆動部６を制御するパワー制御部、９は復調器５から得られるアドレス情報と光ピックアップ３から得られるフォーカスエラー信号やトラッキングエラー信号等に基づいてスピンドルモータの回転制御と光ピックアップ３のフォーカス・トラッキング・スライド制御を行うサーボ回路、１０は必要に応じて記録データを暗号化する暗号化処理部、１１は操作部、１２は光ディスク１のローディング／イジェクトを行うローディング部、１３はデータ転送と外部機器との通信及びシステム全体の制御を実行するシステム制御部、１４は液晶表示部、１５は外部機器（コンテンツデータの供給装置又は記録装置）との接続インターフェイスを示す。
【００１９】
この情報記録再生装置はＣＰＲＭ対応の機能を備えており、光ディスク１がＣＰＲＭに対応したＤＶＤ-Ｒ／ＤＶＤ-ＲＷ／ＤＶＤ-ＲＡＭである場合に、コンテンツデータの記録／再生（複製）時においてＣＰＲＭに準拠した著作権保護を行うようになっている。従って、記録／再生（複製）時には常に光ディスク１の確認を行うが、その確認手順は図２のフローチャートに示される。先ず、光ディスク１がトレー（図示せず）にセットされるとローディング部１２に設けたセンサ（図示せず）がそれを検知し、システム制御部１３はその検知信号に基づいて内蔵メモリにあるディスク種別フラグやＣＰＲＭフラグを初期化する（S1,S2）。次に、ローディング部１２が光ディスク１をターンテーブル上へ移送してローディングが完了すると、スピンドルモータ２によって光ディスク１が回転せしめられると共に、光ピックアップ３を最内周領域へ移動させてディスク特定データを読み出す（S3,S4）。そして、光ピックアップ３によるディスク特定データの読み出し信号は増幅器４と復調器５を介してシステム制御部１３へ入力され、システム制御部１３が所定アルゴリズムにより光ディスク１の種類を特定する（S5）。
【００２０】
ここで、システム制御部１３は、光ディスク１がＤＶＤ-Ｒ／ＤＶＤ-ＲＷ／ＤＶＤ-ＲＡＭのいずれかであった場合には、該当したディスクに対応するディスク種別フラグを選択的にＯＮとし、以降の動作ではそのディスク種別に応じた記録／再生モードを設定することになる（S6,S7）。また、システム制御部１３は、その光ディスク１がＣＰＲＭ対応のもので有るか否かを確認し、ＣＰＲＭ対応であれば、ＣＰＲＭフラグをＯＮにすると共に、光ディスク１からＭＫＢとメディアＩＤが読み取られて内蔵メモリにセーブしておく（S8〜S10）。尚、この実施形態の情報記録再生装置はＤＶＤ-Ｒ／ＤＶＤ-ＲＷ／ＤＶＤ-ＲＡＭのみを対象とするものであるため、ステップS6でそれら以外のディスクであることが確認された場合には、液晶表示部１４でその旨の通知表示を行うと共にローディング部１２によるイジェクト処理がなされる（処理Ａ）。また、ステップS8で光ディスク１がＣＰＲＭに非対応（例えば、データ記録専用ディスク）であれば、液晶表示部１４にその旨の表示を行うと共に、以降、その種のディスクとして扱うことになる（処理Ｂ）。
【００２１】
ところで、以上に説明した構成と機能及びディスク確認動作は従来のＣＰＲＭ対応の情報記録再生装置においてもほぼ同様である。この実施形態に係る情報記録再生装置は、ＣＰＲＭに基づいた従来の複製制御を行うと共に、例えば、地上波デジタル放送等において、ＣＰＲＭにおける「Copy Free」と「Copy One Generation」と「Copy Never」だけでなく、ＣＣＩを「Copy Ｍ Generation」（但し、Ｍ≧１）として２世代以上の複製を許容したコンテンツが配信されるようになった場合にも対応できる機能も備えている点に特徴がある。但し、ＣＰＲＭでの「Copy One Generation」と拡張したＣＣＩでＭ＝１の場合の「Copy Ｍ Generation」とは同一のＩＤ情報で示されるものとする。
【００２２】
次に、この情報記録再生装置におけるコンテンツデータの記録手順を図３のフローチャートを参照しながら説明する。先ず、その場合には、前提として接続インターフェイス１５に外部機器として地上波デジタル放送用チューナが接続された状態になっており、放送番組のコンテンツデータが入力できる状態にあることとする。今、操作部１１から記録開始指示がなされると、システム制御部１３は上記のディスク確認手順（図２）を実行し、光ディスク１がＤＶＤ-Ｒ／ＤＶＤ-ＲＷ／ＤＶＤ-ＲＡＭであるか否か、及びその光ディスク１がＣＰＲＭ対応のディスクであるか否かが確認される（S21,S22）。そして、光ディスク１がそれらの条件に該当するものであった場合には、接続インターフェイス１５を介して入力されるコンテンツデータからＣＣＩを検出し、それを内蔵メモリにセーブする（S23,S25）。尚、光ディスク１がそれら条件に該当しない場合には、上記の処理Ａや処理Ｂが行われる（S23→S24）。
【００２３】
次に、システム制御部１３は、内蔵メモリのＣＣＩが「Copy Never」であるか否かを判断し、「Copy Never」であった場合には、液晶表示部１４で複製禁止のコンテンツであることを表示させて光ディスク１への記録を不許可とするが、「Copy Free」又は「Copy Ｍ Generation」（但し、Ｍ≧１）であった場合には、コンテンツデータを光ディスク１へ記録することが可能であるため、それぞれの複製条件に基づいた記録動作へ移行させる（S26,S27,S28）。
【００２４】
先ず、「Copy Free」の場合は、パワーキャリブレーションを実行させた後、入力されたコンテンツデータを暗号化することなく光ディスク１にそのまま記録させる（S28→S29,S30）。一方、「Copy Ｍ Generation」（但し、Ｍ≧１）の場合には、ＣＰＲＭに準拠した手順で暗号化キーを作成し、パワーキャリブレーションを実行させた後、暗号化処理部１０でコンテンツデータを暗号化して光ディスク１に記録させる（S28→S32,S33,S34）。
【００２５】
そして、この実施形態の特徴的手順として、いずれの場合においても、システム制御部１３は、コンテンツデータの記録が完了した時点で、前記パワーキャリブレーション実行時にパワーキャリブレーションエリア（ＰＣＡ）に記録したテストデータの後に、コンテンツ識別番号と内蔵メモリにセーブさせてあるＣＣＩを追加記録させる（S31→S36,S35→S36）。
【００２６】
次に、この実施形態に係る情報記録再生装置によるコンテンツデータの再生（複製）手順を図４のフローチャートを参照しながら説明する。この場合、この情報記録再生装置は本来のＣＰＲＭにも対応しているため、ＣＣＩが「Copy Free」の場合は出力許可となるが、「Copy Never」と「Copy One Generation」の場合は出力禁止となり、従来装置と同様の処理がなされる。しかし、この情報記録再生装置ではＣＣＩが「Copy Ｍ Generation」でＭ≧２の場合にも対応しており、その場合には出力許可設定を行う。
【００２７】
先ず、接続インターフェイス１５に外部機器が接続されると、システム制御部１３はその外部機器とデジタル接続がなされたか否かを判断し、デジタル接続であると確認されると、機器間でのＤＴＣＰ（Digital Transmission Content Protection）に準拠したデジタル認証を行い、機器間で相互認証のための手順が実行される（S41〜S43）。そして、相互認証がなされると、外部機器が録画機器か否かを確認し、録画機器であれば更にディスク確認手順（図２）を実行するが、ローディングされている光ディスク１がＤＶＤ-Ｒ／ＤＶＤ-ＲＷ／ＤＶＤ-ＲＡＭのいずれかであり、且つＣＰＲＭに対応したものであった場合には、光ディスク１から収録されているコンテンツの識別番号とタイトルを読み出して液晶表示部１４に表示させる（S44〜S47）。尚、アナログ接続の場合には接続不可である旨を、相互認証できなかった場合には認証不能である旨を、接続機器が非録画機器であった場合には出力不可である旨を、それぞれ液晶表示部１４に表示させることになる（S41→S48,S43→S49,S44→S50）。また、ディスク確認手順（図２）で光ディスク１が前記条件に該当しない場合には、上記の処理Ａや処理Ｂが行われる（S46→S51）。
【００２８】
ここで、操作部１１でコンテンツ識別番号を指定したコンテンツの出力要求がなされると、システム制御部１３はサーボ回路９を介して光ピックアップ３を光ディスク１のＰＣＡへ移動させ、ＰＣＡに記録されているデータを読み取らせる（S52,S53）。そして、システム制御部１３は、ＰＣＡから読み取ったデータにＣＣＩが含まれているか否かを判断すると共に、出力指定に係るコンテンツ識別番号とＣＣＩの最新の書き込み位置の後にテストデータのみの記録が有るか否かを確認する（S54,S55）。
【００２９】
この２つの手順（S54,S55）の内、前者のステップS54は光ディスク１がＣＰＲＭに対応すると共に、この実施形態の情報記録再生装置にも対応しているものか否かを判断するものであり、後者のステップS55は出力指定に係るコンテンツデータに変更が加えられた可能性を確認するものである。即ち、ＰＣＡにＣＣＩが存在することは、この実施形態の情報記録再生装置によってコンテンツデータが記録されたことを意味し、ＰＣＡにおける前記位置より後にテストデータのみの記録が存在するということは、出力指定に係るコンテンツをこの実施形態の情報記録再生システムによって記録した後に、他の記録装置（ＣＰＲＭ対応の記録装置も含む）によって何等かの記録がなされていることを意味する。
【００３０】
そこで、ステップS54でＣＣＩが存在しなかった場合には、ＣＰＲＭ対応の光ディスク１として従来どおり取り扱うこととし（S54でＮ）、またステップS55においてＰＣＡの前記位置より後にテストデータのみの記録が存在した場合には、出力指定に係るコンテンツデータに何らかの改竄が加えられている可能性があるため、システム制御部１３は前記コンテンツの出力要求に対して出力禁止設定を行う（S55→S63）。
【００３１】
一方、ステップS55においてコンテンツデータに変更が加えられていないことが確認できた場合には、システム制御部１３は、ＰＣＡから読み取ったデータにおける指定コンテンツに対応する識別番号の内で最新の書き込み位置にあるものに対応したＣＣＩを確認し、「Copy Free」の場合には直ちに出力許可設定を行い（S56→S59）、「Copy One Generation」の場合には出力禁止設定を行い（「Copy One Generation」では既にこの光ディスク１に１回複製済み）（S56,S57→S63）、「Copy Ｍ Generation」（Ｍ≧２）の場合には出力要求に係るコンテンツ識別番号と新たなＣＣＩ：「Copy (Ｍ−１) Generation」（Ｍ≧２）をＰＣＡに追加記録した後に出力許可設定を行う（S58,S59）。このステップS58においてコンテンツ識別番号とＭを１だけデクリメントしたＣＣＩを追加記録しておくことは、次回のコンテンツ指定出力要求に対する前記ステップS57で出力許可／出力禁止を行う際の判断情報になると共に、前記ステップS55でのコンテンツデータ変更の可能性の判断において有効となる。
【００３２】
前記ステップS54でＰＣＡの読み取りデータにＣＣＩが含まれておらず、従来のＣＰＲＭ対応ディスクとされた場合には、出力指定されたコンテンツデータの一部を読み取ってＣＣＩを検出する（S54→S61）。そして、システム制御部１３は、ＣＣＩが「Copy Free」の場合には直ちに出力許可設定を行うが（S62→S59）、「Copy One Generation」の場合は出力禁止設定を行う（S62,S63）。尚、出力許可設定がなされると、システム制御部１３は直ちに光ピックアップ３で光ディスク１の出力指定に係るコンテンツデータを読み出させ、接続インターフェイス１５を介して外部機器（ＤＶＤレコーダ等の録画機器）へ出力させ、その外部機器で入力されたコンテンツデータを記録媒体に複製記録することになる（S59,S60）。
【００３３】
このように、ＣＣＩが「Copy Ｍ Generation」（Ｍ≧２）になっている場合には、そのＣＣＩが対応付けられている識別番号に係るコンテンツデータについて出力許可設定がなされるが（S57〜S59）、再生（複製）される度にＭは１ずつデクリメントされるため（S58）、Ｍが１になった段階ではそのコンテンツの指定出力要求がなされても出力禁止設定がなされることになる（S57→S63）。
【００３４】
［実施形態２］
前記実施形態１に係る情報記録再生装置では、光ディスク１のＰＣＡに順次記録されてゆくコンテンツの識別番号とＣＣＩを利用し、パワーキャリブレーションのテストデータが前記識別番号とＣＣＩよりも時間的に後に記録されていた場合には出力禁止設定を行うことにより、コンテンツの複製管理機能と改竄防止機能を併有させている。しかし、その改竄防止機能によると、テストデータより時間的に前に記録されている識別番号に対応するコンテンツの全てが出力禁止設定を受けてしまうことになり、改竄がなされておらず複製可能な条件であるにも拘わらず複製が不可能になるという問題がある。
【００３５】
この実施形態２の情報記録再生システムでは、情報記録再生装置がハッシュ関数方式でコンテンツデータのハッシュ値を求めて光ディスク１のＰＣＡに記録しておくようにし、前記実施形態１の場合のような不具合が生じない改竄防止機能を実現している。そして、そのハッシュ関数方式による場合におけるコンテンツデータの記録手順は図５のフローチャートに示される。同図と図３とを比較すれば明らかなように、記録開始指示からパワーキャリブレーションを実行するまでは同様である（S21〜S33）。この実施形態での記録手順上の特徴は、コンテンツデータを光ディスク１に記録する際に、コンテンツデータを暗号化するか否かに関係なく、所定ハッシュ関数を用いてコンテンツデータからハッシュ値を演算し、ＰＣＡのテストデータの後にコンテンツデータの記録完了後にコンテンツ識別番号とＣＣＩと共に最終的に求めたハッシュ値を追加記録しておく点にある（S30',S31→S36',S34',S35→S36'）。
【００３６】
一方、この実施形態におけるコンテンツデータの再生（複製）手順は図６のフローチャートに示される。この場合も、同図と図４とを比較すれば明らかなように、実施形態１における出力指定に係るコンテンツデータの変更の有無確認手順（図４のS55）がコンテンツ識別番号とＣＣＩの最新の書き込み位置の後にテストデータのみの記録が在るか否かを確認していたのに対して（図４のS55）、この実施形態においては出力指定に係るコンテンツデータから記録手順の場合と同一のハッシュ関数を用いてハッシュ値を演算し、その演算結果のハッシュ値とＰＣＡにおいて出力指定に係るコンテンツの識別番号に対応付けられているハッシュ値とが一致するか否かを判断する手順（S55-1,S55-2）を実行している点においてのみ相違している。
【００３７】
そして、ハッシュ値が一致しなければ出力指定に係るコンテンツデータが改竄されているとみなせるために出力禁止設定が行われ（S55-2→S63）、一致した場合にのみＣＣＩの条件によって出力許可設定又は出力禁止設定が行われることになる（S55-2→S56〜S60,S63）。即ち、この実施形態ではＰＣＡにハッシュ値を付加記録しておくことにより、ハッシュ関数方式で個別のコンテンツデータに係る改竄の有無を確認できるようにしている。従って、実施形態１の場合のように、ＣＣＩの条件において複製可能なコンテンツデータが、改竄されていないにも拘わらず、他のコンテンツデータに対する改竄の可能性により複製できなくなるような不具合はなく、より適切な改竄防止機能を併有させることができる。
【産業上の利用可能性】
【００３８】
本発明はコンテンツデータの複製回数の制御・管理機能を備えた情報記録再生装置に適用できる。
【図面の簡単な説明】
【００３９】
【図１】本発明の実施形態に係る情報記録再生装置のブロック図である。
【図２】情報記録再生装置によるディスク確認手順を示すフローチャートである。
【図３】実施形態１に係る情報記録再生装置によるコンテンツデータの記録手順を示すフローチャートである。
【図４】実施形態１に係る情報記録再生装置によるコンテンツデータの再生（複製）手順を示すフローチャートである。
【図５】実施形態２に係る情報記録再生装置によるコンテンツデータの記録手順を示すフローチャートである。
【図６】実施形態２に係る情報記録再生装置によるコンテンツデータの再生（複製）手順を示すフローチャートである。
【符号の説明】
【００４０】
１…光ディスク、２…スピンドルモータ、３…光ピックアップ、４…増幅器、５…復調器、６…レーザ駆動部、７…変調器、８…パワー制御部、９…サーボ回路、１０…暗号化処理部、１１…操作部、１２…ローディング部、１３…システム制御部、１４…液晶表示部、１５…接続インターフェイス。
【図１】
2008165913.tif 000003
【図２】
2008165913.tif 000004
【図３】
2008165913.tif 000005
【図４】
2008165913.tif 000006
【図５】
2008165913.tif 000007
【図６】
2008165913.tif 000008